(57)【要約】  【課題】灯火類を「眼」と認識させる効果を高め、自動二輪車の前面に「顔」を想起させることで自動二輪車の被視認性を高める車両用灯火装置を提供する。  【解決手段】車両の前部左右に対称に設置された灯火器を、顔をイメージ可能な眼の形状に形成する。前記灯火器としてのヘッドライト４０は、瞳部を形成する円形状のメインライト４１と、虹彩部を形成する輪形状のリング４２と、強膜部（白目）を形成するプレート４３ａ，４３ｂと、上まぶた部の輪郭を形成する上側フレーム４４と、下まぶた部の輪郭を形成する下側フレーム４５とを具備する。上記構成において、メインライト４１およびプレート４３ａ，４３ｂを発光させ、リング４２を非発光とすると、瞳部と強膜部とが明確に弁別されて、昼間だけでなく夜間においても「眼」として明確に認識できる。発光箇所は、メインライト４１と上側フレーム４４および下側フレーム４５などとしてもよい。  【選択図】図５
2006298045.tif 000002
【特許請求の範囲】
【請求項１】
車両の前部左右に対称に設置された灯火器を有する車両用灯火装置において、
各灯火器は、顔をイメージ可能な眼の形状に形成され、
瞳部を形成する円形状の第１の部分と、
虹彩部を形成する輪形状の第２の部分と、
強膜部を形成する第３の部分と、
上まぶた部の輪郭を形成する第４の部分と、
下まぶた部の輪郭を形成する第５の部分とを具備し、
前記第１ないし第５部分のうち少なくとも１つの部分が灯火器として発光可能に構成されていることを特徴とする車両用灯火装置。
【請求項２】
前記第１の部分および第３の部分が灯火器として発光可能に構成されていることを特徴とする請求項１に記載の車両用灯火装置。
【請求項３】
前記第１の部分をヘッドライトとして機能させ、
前記第３の部分をポジションライトとして機能させることを特徴とする請求項２に記載の車両用灯火装置。
【請求項４】
前記第１の部分、第４の部分および第５の部分が灯火器として発光可能に構成されていることを特徴とする請求項１に記載の車両用灯火装置。
【請求項５】
前記第２の部分および第３の部分が灯火器として発光可能に構成され、
前記灯火器の下方に第２の灯火器を具備することを特徴とする請求項１に記載の車両用灯火装置。
【請求項６】
前記第２の灯火器は、両端がテーパー状に閉じられることで、口をイメージ可能な形状に形成されたことを特徴とする請求項５に記載の車両用灯火装置。
【請求項７】
前記第２の灯火器をヘッドライトとして機能させ、
前記第２の部分および第３の部分をポジションライトとして機能させることを特徴とする請求項６に記載の車両用灯火装置。
【請求項８】
前記第１の部分は、プロジェクター式ライトの凸レンズ部であり、
前記第３の部分は、導光板によって導かれた前記プロジェクター式ライトの漏れ光によって発光することを特徴とする請求項２または３のいずれかに記載の車両用灯火装置。
【請求項９】
前記第１の部分は、プロジェクター式ライトの凸レンズ部であり、
前記第３の部分は、発光ダイオードによって発光することを特徴とする請求項２または３のいずれかに記載の車両用灯火装置。
【請求項１０】
前記第３の部分には、
白色の発光ダイオードと黄色の発光ダイオードとが配設され、
前記黄色の発光ダイオードをターンシグナルとして機能させることを特徴とする請求項９に記載の車両用灯火装置。
【請求項１１】
前記第４の部分と第５の部分との結合点が、前記車両の中心方向で目頭部を形成するとともに前記車両の外側方向で目尻部を形成することを特徴とする請求項１に記載の車両用灯火装置。
【請求項１２】
前記目頭部と目尻部とを結ぶ線分と、垂線との成す角度αが４５度＜α＜９０度を満たすことを特徴とする請求項１１に記載の車両用灯火装置。
【請求項１３】
前記目頭部と目尻部とを結ぶ線分に対して、前記第１の部分および第２の部分の中心が、前記線分上を含む第４の部分寄りに配設されることを特徴とする請求項１１に記載の車両用灯火装置。
【発明の詳細な説明】
【技術分野】
【０００１】
本発明は車両用灯火装置に関し、特に、各灯火器を「眼」と認識させることで「顔」を想起させ、車両の被視認性を高める車両用灯火装置に関する。
【背景技術】
【０００２】
従来から、複雑な交通環境の下において、被視認面積が小さいために四輪車のドライバー等に見落とされやすい自動二輪車の被視認性を高める手法が試みられてきた。下記の特許文献１には、自動二輪車に通常装備される前照灯に追加して設けられる視認用ランプ装置が開示されている。該ランプ装置は、青色または緑色の光を点滅させたり、散乱レンズを用いて周囲へ光を散乱させる等、前照灯と異なる光を発することで自動二輪車の被視認性を高めるものである。一方、４輪車のドライバー側から自動二輪車の視認性を高めるアプローチとして、特許文献２には、熱分布の状態を映し出す赤外線カメラの画像に所定の画像処理を施すことで、通常のカメラの画像より自動二輪車や歩行者等を鮮明に映し出すことができる車両用灯火装置が開示されている。
【０００３】
さて、上記したような技術が存在するものの、車両の生産コスト等の課題もあり、自動二輪車の被視認性を高めるために最も簡易かつ一般的に実施されている手法は、灯火類の昼間点灯である。しかしながら、近年、この昼間点灯がトラックやバスへ拡大したことによって、自動二輪車の被視認性が相対的に低下する事態が懸念され、より被視認性を向上させることができる灯火類が模索されている。こうした背景から、本願発明の出願人は、ヒトの脳に直接働きかける灯火類の形状および配置に着眼した。
【０００４】
近年の脳研究によって、特定のパターンに敏感に反応する脳部位（ニューロン）の存在が知られている。サルにおいては手のパターンに敏感に反応する「手ニューロン」に続き、顔のパターンに敏感に反応する「顔ニューロン」が報告されており、さらにヒトもこの顔パターン処理を行う脳部位を持つことが明らかになってきている。このことより、ヒトが生得的に持つ、顔パターンの特異的な探索および認識能力を生かし、自動二輪車の前面に「顔」を想起させることで、自動二輪車を観察するヒトに対する被視認性を高める試みが行われている。この手法において、「顔」を表現するために最も重要な部分は「眼」であり、「顔」を想起させる自動二輪車を構成するためには、ヘッドランプやポジションランプの適切な配置によって効果的な「眼」を作ることが重要なポイントとなる。
【０００５】
ここで、従来方式の灯火器形状の一例を示すために図１２を参照する。図１２（ａ）は、スクータ型自動二輪車５０の正面図である。ハンドル５１によってフロントフォーク５２の下端部に回転可能に軸支された前輪ＷＦ２を操舵する自動二輪車５０には、車体の中央左右を覆うセンターカウル５３と、車体の前面に配設されるアッパーカウル５４とが備えられている。アッパーカウル５４に設置される左右対称の２灯式ヘッドライト６０は、円形の発光部６１と、略菱形の輪郭を形成するレンズ６２とから構成されている。このため、発光部６１が眼における瞳の部分をイメージさせ、レンズ６２の輪郭線によって「つり眼」を形成する上下まぶたの輪郭をイメージさせることができる。これにより、昼間など光のある環境下では、ヘッドライト６０はその観察者に「眼」と認識されやすく、自動二輪車５０は「顔」を想起させる効果を有している。しかしながら、夜間にヘッドライト６０を点灯させた状態においては、図１２（ｂ）に示すように円形の発光部６１の部分しか見えなくなる。勿論、この場合には、「眼」と認識されなくなるため、「顔」を想起させることも不可能となる。
【０００６】
また、図１３（ａ）〜（ｃ）に、「顔」を想起させるために実験的に形成された各種ヘッドライト形状を示す。図１３（ａ）は、ヘッドライトの輪郭を略つり眼形状として、「眼」を形成する面全体を発光させた場合である。しかし、この構成では、「眼」を連想はさせるものの、他の灯火器類との明確な判別がしにくいため、「顔」としてのイメージはある程度形成されるのみである。
【０００７】
図１３（ｂ）は、瞳にあたる円形の発光部を設け、ヘッドライトを形成する面とともに発光させた場合である。この構成では、図１３（ａ）の構成に比して「眼」を強く認識させることができるものの、円形の発光部と、強膜部（白眼）にあたる発光面との区別がつきにくいため、「顔」としてのイメージもやや強く形成されるのみである。
【０００８】
図１３（ｃ）は、瞳にあたる円形の発光部と、ヘッドライトの輪郭線とを発光させた場合である。この構成では、夜間において、グレア（視野の中に部分的に極端に明るい部分があると、見ようとする対象が見えにくくなる現象）の発生や見る角度の変化によって輪郭線の欠落が起こりやすい。この場合には、円形の発光部しか見えなくなって「眼」と認識されなくなるので、「顔」のイメージは形成されない。
【特許文献１】特開２００１−３３４９７６号公報
【特許文献２】特開平１１−２４３５３８号公報
【発明の開示】
【発明が解決しようとする課題】
【０００９】
上記したように、特許文献１および２は、自動二輪車の前面に「顔」を想起させて被視認性を高めるための工夫に関して何らの配慮もされていなかった。また、図１２に示した従来型のヘッドライト構成では、夜間において「顔」を想起させることが不可能であり、さらに、図１３（ａ）〜（ｃ）に示したヘッドライト構成では、「顔」を想起させる効果が十分に得られなかった。
【００１０】
本発明の眼的は、上記した課題を解決し、灯火類を「眼」と認識させる効果を高め、自動二輪車の前面に「顔」を想起させることで自動二輪車の被視認性を高める車両用認識装置を提供することにある。
【課題を解決するための手段】
【００１１】
前記した目的を達成するために、本発明は、車両の前部左右に対称に設置された灯火器を有する車両用灯火装置において、各灯火器は、顔をイメージ可能な眼の形状に形成され、瞳部を形成する円形状の第１の部分と、虹彩部を形成する輪形状の第２の部分と、強膜部を形成する第３の部分と、上まぶた部の輪郭を形成する第４の部分と、下まぶた部の輪郭を形成する第５の部分とを具備し、前記第１ないし第５部分のうち少なくとも１つの部分が灯火器として発光可能に構成されている点に第１の特徴がある。
【００１２】
また、前記第１の部分および第３の部分が灯火器として発光可能に構成されている点に第２の特徴がある。
【００１３】
また、前記第１の部分をヘッドライトとして機能させ、前記第３の部分をポジションライトとして機能させる点に第３の特徴がある。
【００１４】
また、前記第１の部分、第４の部分および第５の部分が灯火器として発光可能に構成されている点に第４の特徴がある。
【００１５】
また、前記第２の部分および第３の部分が灯火器として発光可能に構成され、前記灯火器の下方に第２の灯火器を具備する点に第５の特徴がある。
【００１６】
また、前記第２の灯火器は、両端がテーパー状に閉じられることで、口をイメージ可能な形状に形成された点に第６の特徴がある。
【００１７】
また、前記第２の灯火器をヘッドライトとして機能させ、前記第２の部分および第３の部分をポジションライトとして機能させる点に第７の特徴がある。
【００１８】
また、前記第１の部分は、プロジェクター式ライトの凸レンズ部であり、前記第３の部分は、導光板によって導かれた前記プロジェクター式ライトの漏れ光によって発光する点に第８の特徴がある。
【００１９】
また、前記第１の部分は、プロジェクター式ライトの凸レンズ部であり、前記第３の部分は、発光ダイオードによって発光する点に第９の特徴がある。
【００２０】
また、前記第３の部分には、白色の発光ダイオードと黄色の発光ダイオードとが配設され、前記黄色の発光ダイオードをターンシグナルとして機能させる点に第１０の特徴がある。
【００２１】
また、前記第４の部分と第５の部分との結合点が、前記車両の中心方向で目頭部を形成するとともに前記車両の外側方向で目尻部を形成する点に第１１の特徴がある。
【００２２】
また、前記目頭部と目尻部とを結ぶ線分と、垂線との成す角度αが４５度＜α＜９０度を満たす点に第１２の特徴がある。
【００２３】
さらに、前記目頭部と目尻部とを結ぶ線分に対して、前記第１の部分および第２の部分の中心が、前記線分上を含む第４の部分寄りに配設される点に第１３の特徴がある。
【発明の効果】
【００２４】
請求項１ないし４の発明によれば、虹彩部によって瞳部と強膜部とのコントラストが明瞭になるので、観察者に対して灯火器を「眼」として強く認識させることができるようになる。これに伴って、自動二輪車の前面に効果的に「顔」を想起させることができるので、昼間など光のある環境下だけでなく、夜間においても自動二輪車の非視認性が高められて、四輪車のドライバー等に認識されやすくすることができるようになる。
【００２５】
請求項５ないし７の発明によれば、「眼」をイメージさせる灯火器のほか、「口」をイメージさせる第２の灯火器を設けたので、より効果的に顔を想起させることができるようになる。
【００２６】
請求項８の発明によれば、簡易な構成によって同一光源で瞳部および強膜部を同時に発光させることができるようになる。
【００２７】
請求項９の発明によれば、プロジェクター式ライトの光を導く導光板が不要となるので、灯火器のレイアウトの自由度を高めることができるようになる。
【００２８】
請求項１０の発明によれば、ターンシグナルを別個に設ける必要がなくなるため、車体前面のデザインの自由度を高めることができるようになる。
【００２９】
請求項１１および１２の発明によれば、より効果的に「顔」を想起させる位置に各灯火器を設置することができるようになる。
【００３０】
請求項１３の発明によれば、灯火器の「眼」による視線が正面に対向するため、「眼」としての認識がより高まり、より効果的に「顔」を想起させることができるようになる。
【発明を実施するための最良の形態】
【００３１】
以下、図面を参照して本発明の好ましい実施の形態について詳細に説明する。図１は、本発明を適用した自動二輪車の一実施形態の側面図である。自動二輪車１は、ヘッドパイプ２から車体後方斜め下方に向けて左右一対のメインフレーム３が延び、その下部に並列４気筒のエンジン４が取り付けられている。メインフレーム３の後方下部には、ピボット軸６を介してスイングアーム７が上下スイング可能に軸支されている。該スイングアーム７の前方上部には、リヤクッション２５の上端が取り付けられ、該リヤクッション２５の下端は、リンク装置２６を介してメインフレーム３の下部に支持されている。スイングアーム７の後端の車軸３１には、前記エンジン４の出力軸に取り付けられたドライブスプロケット１４から、チェーン１５およびドリブンスプロケット１６によって伝達される駆動力によって回転する後輪ＷＲが、回転自在に軸支されている。
【００３２】
前記ヘッドパイプ２には、左右一対のフロントフォーク８がハンドル５によって操舵可能に軸着されており、フロントフェンダ２７の下方には、前輪ＷＦが車軸３０において回転可能に軸支されている。前輪ＷＦと一体的に回転するブレーキディスク２８は、ブレーキキャリパ２９に挟まれることで発生する摩擦力によって自動二輪車１の減速制御を行う。前記メインフレーム３の上方に取り付けられる燃料タンク１１の内側には、インテークマニホールド１３と連結されるエアクリーナボックス１２が配設されている。メインフレーム３の後部かつ上方には、シート１９およびリヤシート２０を備えるシートカウル１７を支持するためのシートフレーム１８が取り付けられている。エンジン４の車体前方には、冷却用の電動ファン２２を備えたラジエター２１が備えられ、前記エンジン４とラジエター２１との間には、シリンダヘッド３３の排気口に連結される排気管２３が配設されている。該４本の排気管２３は、エンジン４の下部で１本に集合した後、集合パイプ３２によってシートカウル１７の下部に収められたサイレンサー２４に導かれる。本発明に係る車両用灯火装置は、センターカウル１０の前方のアッパーカウル９に配設されるヘッドライト４０に適用されている。
【００３３】
図２は、本発明を適用した自動二輪車の一実施形態の正面図である。前記と同一の符号は、同一または同等部分を示している。自動二輪車１のアッパーカウル９の上部には、左右対称の灯火器としてのヘッドライト４０が備えられている。前記したように、本発明の目的は、観察者に対してヘッドライト４０を「眼」と認識させることで、自動二輪車１の前面に「顔」を効果的に想起させ、自動二輪車１の被視認性を高めることにある。
【００３４】
図３（ａ）は、前記ヘッドライト４０の拡大図であり、図３（ｂ）は、本実施形態におけるヘッドライト４０の夜間の見え方を示す模式図である。図３（ａ）において、ヘッドライト４０には、第１の部分としてのメインライト４１の外周側に、第２の部分としてのリング４２が設けられている。また、リング４２と、第４の部分としての上側フレーム４４および第５の部分としての下側フレーム４５との間には、第３の部分としてのプレート４３ａ，４３ｂが設けられている。加えて、上側フレーム４４と下側フレーム４５との結合点では、車体中央側で目頭部４６が、車体外方側で目尻部４７が形成されている。以上によって、メインライト４１が「瞳」を、リング４２が「虹彩」を、プレート４３ａ，４３ｂが「強膜」を、上側フレーム４４が「上まぶた」を、下側フレーム４５が「下まぶた」をそれぞれ表現するので、ヘッドライト４０は「眼」と同様の構成を有することになり、観察者に「眼」として認識されやすくなる。
【００３５】
また、本実施形態においては、メインライト４１およびプレート４３ａ，４３ｂを前照灯として発光させる一方、リング４２を非発光とするため、夜間においても、図３（ｂ）に示すように、発光していない「虹彩」が、「瞳」の存在をより明確にする効果が生じる。これによって、夜間においてもヘッドライト４１を「眼」として強く認識させ、二輪車の前面に「顔」を効果的に想起させることができるようになる。なお、ヘッドライト４０の構造については後述するが、例えば、メインライト４１をプロジェクター式ライトで形成するほか、プレート４３ａ，４３ｂは複数の発光ダイオードを配設した反射板、リング４２は発光ダイオードを光源として全体が発光するアクリル製の構造物、上側フレーム４４および下側フレーム４５は発光ダイオードの列などで構成することができる。
【００３６】
また、上記したような構成を有するヘッドライト４０は、各構成物の大きさや形状、配置関係の変更によって、観察者に与える印象を大きく変えることができる。
【００３７】
図４は、前記した本発明の第１実施形態に係る車両用灯火装置において、点灯箇所を変更した場合の見え方の変化を示す概略説明図である。前記と同一の符号は、同一または同等部分を示している。図４（ａ）および（ｂ）に示すように、点灯箇所をメインライト４１およびプレート４３ａ，４３ｂとした場合は、昼間など明かりのある環境下だけでなく、夜間においても自動二輪車の前面に「顔」を想起させることは前記した通りである。しかしながら、図４（ｃ）に示すように、点灯箇所をメインライト４１およびプレート４３ｂのみとした場合や、図４（ｄ）に示すように、点灯箇所をメインライト４１およびプレート４３ａのみとした場合においては、「眼」を構成する要素が不足するため、「顔」を想起させる作用は大きく低下する。
【００３８】
図５（ａ）は、本発明の第２実施形態に係る車両用灯火装置を適用した自動二輪車の正面図である。前記と同一の符号は、同一または同等部分を示している。本実施形態においては、ヘッドライト４０の点灯箇所を、メインライト４１、上側フレーム４４および下側フレーム４５としている。これによって、図５（ｂ）に示すように、「眼」の輪郭部分が発光するとともに、「強膜」にあたるプレート４３ａ，４３ｂもほのかに照らされるため、「眼」の輪郭および「瞳」の位置が明確となり、夜間においても自動二輪車の前面に「顔」を効果的に想起させることができるようになる。これに対して、図５（ｃ）に示すように、点灯箇所をメインライト４１およびプレート４３ｂのみとした場合や、図５（ｄ）に示すように、点灯箇所をメインライト４１およびプレート４３ａのみとした場合においては、「眼」を構成する要素が不足するため、「顔」を想起させる作用は大きく低下する。
【００３９】
図６（ａ）は、本発明の第３実施形態に係る車両用灯火装置を適用した自動二輪車の正面図である。前記と同一の符号は、同一または同等部分を示している。本実施形態においては、ヘッドライト４０の点灯箇所を、リング４２、プレート４３ａ，４３ｂのみとし、メインライト４１の部分を非発光としている。これによって、ヘッドライト４０にはポジションライトとしての機能が与えられる。加えて、ヘッドライト４０の下方のアッパーカウル９に、メインの前照灯として機能するアンダーライト４８ａが配設されている。上記した構成によれば、両端がテーパー状に閉じた形状のアンダーライト４８ａによって、ヘッドライト４０の「眼」に加えて、「口」を連想させることができるようになり、自動二輪車の前面に「顔」を想起させる効果が大きく増大することになる。このアンダーライト４８は、図６（ｂ）の４８ｂおよび図６（ｃ）の４８ｃに示すように、両端がテーパー状に閉じた形状が好ましい。また、図６（ｄ）の４８ｄおよび図６（ｅ）の４８ｅは、その両端がテーパー状に閉じていないために「口」を想起させにくい形状の例である。
【００４０】
図７に、前記ヘッドライト４０の構造の一実施形態を示す。図７（ａ）は、ヘッドライト４０の正面図であり、図７（ｂ）は、図７（ａ）のＡ−Ａ線断面図である。前記と同一の符号は、同一または同等部分を示している。本構造例は、メインライト４１、プレート４３ａ，４３ｂを発光させる場合に用いられる。メインライト４１は、光源７１の発する光をリフレクタ７０で集光し、同位置に焦点を持つ凸レンズを通して照射する周知のプロジェクター式とされる。プレート４３ａ，４３ｂの裏側には、リフレクタ７０で集光できない漏れ光を任意の方向に導く導光板７２，７３が設置されており、この導かれた光によってプレート４３ａ，４３ｂの表面が発光する。また、プレート４３ａ，４３ｂの表面には、光を拡散して面発光させるため、表面にフロスト処理（つや消し）または乳白色の着色が施されている。さらに、非発光とされるリング４２の表面には、周囲からの光が反射しないようにつや消し処理を施してもよい。
【００４１】
図８に、前記ヘッドライト４０の構造における変形例を示す。図８（ａ）は、ヘッドライト４０の正面図、図８（ｂ）は、図８（ａ）のＢ−Ｂ線断面図である。前記と同一の符号は、同一または同等部分を示している。本変形例の構造は、メインライト４１、プレート４３ａ，４３ｂを点灯させる場合に用いられる。本変形例においても、メインライト４１はプロジェクター式とされる。しかし、前記図７の構造例にあった導光板は廃止され、プレート４３ａ，４３ｂの発光は、それぞれの表面に複数設置された白色の発光ダイオード（LED）７４によって行われる。さらに、プレート４３ａには、適数の黄色LEDを配置して、これをターンシグナルとして使用する構成とされている。本変形例によれば、導光板が不要となるため、ヘッドライト４０のレイアウトの自由度を高めることができるようになる。また、ターンシグナルを別個に設ける必要がなくなるため、車体前面のデザインの自由度を高めることができるようになる。
【００４２】
図９は、前記した本発明の第１実施形態に係る車両用灯火装置において、いわゆる「つり眼」の度合を変更した場合の見え方の変化を示す概略説明図である。前記と同一の符号は、同一または同等部分を示している。図９（ａ）の正面図において、目頭部４６と目尻部４７を結んだ線分と垂線とがなす角度αは、約５０度であり、自動二輪車１の前面は「顔」を想起させる効果が高い。図９（ｂ）に、この角度αを、約１１０度のα１から約３０度のα５まで５段階に変化させた場合の各外観を示す。ここで、ヘッドライト４０を「眼」として認識させるには、角度αが４５〜９０度が効果が高い。図９（ｂ）においては、α２（約７５度），α３（約６０度），α４（約４５度）が該当し、α１やα５では「顔」を想起させる効果が低下することが実験によって確認されている。
【００４３】
図１０は、前記した本発明の第１実施形態に係る車両用灯火装置において、メインランプ４１およびリング４２の位置を、上側フレーム４４および下側フレーム４５に対して移動させた場合の見え方の違いを示す概略説明図である。前記と同一の符号は、同一または同等部分を示している。図１０（ａ）は、目頭部４６と目尻部４７とを結ぶ線分上に、メインライト４１およびリング４２の中心を配置した状態である。また、図１０（ｂ）は、メインライト４１およびリング４２の中心を、前記と同様の線分に対して上側フレーム４４側に移動（例えば、距離Ｌ１）させた状態である。図１０（ａ）および（ｂ）に示すようにメインライト４１およびリング４２を配置した場合では、「眼」による視線が正面に対向するため、観察者に「見られている」という印象を与える効果が高まり、「眼」としての認識をより高めることができるようになる。特に、図１０（ｂ）では、メインライト４１およびリング４２の一部が上側フレーム４４によって隠されるため、上目づかいの目線が形成されて、「にらみ」や「怒り顔」をイメージさせることができる。これに対して、図１０（ｃ）のように、目頭部４６と目尻部４７とを結ぶ線分に対して下側フレーム４５側に移動（例えば、距離Ｌ２）させた場合では、「眼」による視線が正面を凝視しているように想起できず、「眼」としての認識が低下する。
【００４４】
図１１は、前記した本発明の第１実施形態に係る車両用灯火装置において、リング４２の周方向の厚さを変更した場合の見え方の違いを示す概略説明図である。図１１（ａ）のヘッドライト４０は、メインライト４１およびプレート４３ａ，４３ｂを発光させ、その間に位置するリング４２を非発光とするため、コントラストが明瞭になって「瞳」と「強膜」とがはっきり弁別できる。この時、「眼」の表情に大きな影響を与えているのがリング４２であり、その周方向の厚さを変更すると「眼」の表情を変えることができる。図１０（ｂ）ないし（ｄ）に、リング４２の厚さ変更に伴う夜間時の見え方の変化を示す。図示の例では、図１０（ｄ）のようにリング４２が薄いよりも、図１０（ｂ）のように厚いほうが、観察者に対する被視認性を高めることができる。
【００４５】
上記したように、本発明によれば、昼間など光のある環境下だけでなく、夜間においても灯火器を「眼」として強く認識させることができるので、自動二輪車の前面に「顔」を効果的に想起させて、自動二輪車を四輪車のドライバー等に認識されやすくすることができるようになる。
【図面の簡単な説明】
【００４６】
【図１】本発明を適用した自動二輪車の一実施形態の側面図である。
【図２】本発明を適用した自動二輪車の一実施形態の正面図である。
【図３】本発明の第１実施形態に係る車両用灯火装置の概略説明図である。
【図４】灯火器の点灯箇所を変更した場合の夜間の見え方の変化を示す概略説明図である。
【図５】本発明の第２実施形態に係る車両用灯火装置の概略説明図である。
【図６】本発明の第３実施形態に係る車両用灯火装置の概略説明図である。
【図７】灯火器構造の一実施形態を示す正面図および断面図である。
【図８】灯火器構造の一実施形態の変形例を示す正面図および断面図である。
【図９】第１実施形態に係る灯火器の配置角度を変更した際の見え方の違いを示す概略説明図である。
【図１０】第１実施形態に係る灯火器においてメインライトおよびリングの配置を変更した際の見え方の違いを示す概略説明図である。
【図１１】第１実施形態に係る灯火器においてリングの周方向の厚さを変更した際の見え方の違いを示す概略説明図である。
【図１２】従来型の灯火器の概略説明図である。
【図１３】実験的に形成された灯火器による夜間の見え方を示す概略説明図である。
【符号の説明】
【００４７】
１…自動二輪車、９…アッパーカウル、１０…センターカウル、４０…ヘッドライト、４１…メインライト、４２…リング、４３ａ…プレート、４３ｂ…プレート、４４…上側フレーム、４５…下側フレーム、４６…目頭部、４７…目尻部、４８…アンダーライト
【図１】
2006298045.tif 000003
【図２】
2006298045.tif 000004
【図３】
2006298045.tif 000005
【図４】
2006298045.tif 000006
【図５】
2006298045.tif 000007
【図６】
2006298045.tif 000008
【図７】
2006298045.tif 000009
【図８】
2006298045.tif 000010
【図９】
2006298045.tif 000011
【図１０】
2006298045.tif 000012
【図１１】
2006298045.tif 000013
【図１２】
2006298045.tif 000014
【図１３】
2006298045.tif 000015
【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
車両の前部左右に対称に設置された灯火器を有する車両用灯火装置において、
円形状の第１の部分と、
前記第１の部分の周囲を囲む第２の部分と、
前記第２の部分の外側の少なくとも一部に接し、前記第２の部分から離れる方向に長い形状を有する第３の部分と、
前記第１ないし第３の部分の上側に配置され、上側の輪郭を形成する第４の部分と、
前記第１ないし第３の部分の下側に配置され、下側の輪郭を形成する第５の部分とを具備し、
前記第１ないし第３の部分は、前記第４の部分と第５の部分とが形成する上側および下側の輪郭に囲まれており、
前記第１ないし第５部分のうち少なくとも１つの部分が灯火器として発光可能に構成されていることを特徴とする車両用灯火装置。
【請求項２】
前記第１の部分および第３の部分が灯火器として発光可能に構成されていることを特徴とする請求項１に記載の車両用灯火装置。
【請求項３】
前記第１の部分をヘッドライトとして機能させ、
前記第３の部分をポジションライトとして機能させることを特徴とする請求項２に記載の車両用灯火装置。
【請求項４】
前記第１の部分、第４の部分および第５の部分が灯火器として発光可能に構成されていることを特徴とする請求項１に記載の車両用灯火装置。
【請求項５】
前記第２の部分および第３の部分が灯火器として発光可能に構成され、
前記灯火器の下方に第２の灯火器を具備することを特徴とする請求項１に記載の車両用灯火装置。
【請求項６】
前記第２の灯火器は、両端がテーパー状に閉じられることを特徴とする請求項５に記載の車両用灯火装置。
【請求項７】
前記第２の灯火器をヘッドライトとして機能させ、
前記第２の部分および第３の部分をポジションライトとして機能させることを特徴とする請求項６に記載の車両用灯火装置。
【請求項８】
前記第１の部分は、プロジェクター式ライトの凸レンズ部であり、
前記第３の部分は、導光板によって導かれた前記プロジェクター式ライトの漏れ光によって発光することを特徴とする請求項２または３のいずれかに記載の車両用灯火装置。
【請求項９】
前記第１の部分は、プロジェクター式ライトの凸レンズ部であり、
前記第３の部分は、発光ダイオードによって発光することを特徴とする請求項２または３のいずれかに記載の車両用灯火装置。
【請求項１０】
前記第３の部分には、
白色の発光ダイオードと黄色の発光ダイオードとが配設され、
前記黄色の発光ダイオードをターンシグナルとして機能させることを特徴とする請求項９に記載の車両用灯火装置。
【請求項１１】
前記第４の部分と第５の部分との結合点が、前記車両の中心方向と外側方向に形成されることを特徴とする請求項１に記載の車両用灯火装置。
【請求項１２】
両結合点を結ぶ線分と、垂線との成す角度αが４５度＜α＜９０度を満たすことを特徴とする請求項１１に記載の車両用灯火装置。
【請求項１３】
両結合点を結ぶ線分に対して、前記第１の部分および第２の部分の中心が、前記線分上を含む第４の部分寄りに配設されることを特徴とする請求項１１に記載の車両用灯火装置。
【手続補正２】
【補正対象書類名】明細書
【補正対象項目名】０００１
【補正方法】変更
【補正の内容】
【０００１】
本発明は車両用灯火装置に関し、特に、各灯火器を「眼」と認識させることで「顔」を想起させる車両用灯火装置に関する。
【手続補正３】
【補正対象書類名】明細書
【補正対象項目名】０００２
【補正方法】変更
【補正の内容】
【０００２】
従来から、自動二輪車の被視認性に関し、さまざまな手法が試みられてきた。下記の特許文献１には、自動二輪車に通常装備される前照灯に追加して設けられる視認用ランプ装置が開示されている。該ランプ装置は、青色または緑色の光を点滅させたり、散乱レンズを用いて周囲へ光を散乱させる等、前照灯と異なる光を発することとしている。一方、４輪車のドライバー側からのアプローチとして、特許文献２には、熱分布の状態を映し出す赤外線カメラの画像に所定の画像処理を施すことで、通常のカメラの画像より自動二輪車や歩行者等を鮮明に映し出すことができる車両用灯火装置が開示されている。
【手続補正４】
【補正対象書類名】明細書
【補正対象項目名】０００３
【補正方法】変更
【補正の内容】
【０００３】
本願発明者らは、ヒトの脳に直接働きかける灯火類の形状および配置に着眼した。
【手続補正５】
【補正対象書類名】明細書
【補正対象項目名】０００４
【補正方法】変更
【補正の内容】
【０００４】
近年の脳研究によって、特定のパターンに敏感に反応する脳部位（ニューロン）の存在が知られている。サルにおいては手のパターンに敏感に反応する「手ニューロン」に続き、顔のパターンに敏感に反応する「顔ニューロン」が報告されており、さらにヒトもこの顔パターン処理を行う脳部位を持つことが明らかになってきている。このことより、ヒトが生得的に持つ、顔パターンの特異的な探索および認識能力を生かし、自動二輪車の前面に「顔」を想起させることで、自動二輪車を観察するヒトに対する被視認性に関する試みが行われている。この手法において、「顔」を表現するために最も重要な部分は「眼」であり、「顔」を想起させる自動二輪車を構成するためには、ヘッドランプやポジションランプの適切な配置によって効果的な「眼」を作ることが重要なポイントとなる。
【手続補正６】
【補正対象書類名】明細書
【補正対象項目名】００１０
【補正方法】変更
【補正の内容】
【００１０】
本発明の眼的は、上記した課題を解決し、灯火類を「眼」と認識させる効果を高め、自動二輪車の前面に「顔」を想起させる車両用認識装置を提供することにある。
【手続補正７】
【補正対象書類名】明細書
【補正対象項目名】００１１
【補正方法】変更
【補正の内容】
【００１１】
前記した目的を達成するために、本発明は、車両の前部左右に対称に設置された灯火器を有する車両用灯火装置において、円形状の第１の部分と、前記第１の部分の周囲を囲む第２の部分と、前記第２の部分の外側の少なくとも一部に接し、前記第２の部分から離れる方向に長い形状を有する第３の部分と、前記第１ないし第３の部分の上側に配置され、上側の輪郭を形成する第４の部分と、前記第１ないし第３の部分の下側に配置され、下側の輪郭を形成する第５の部分とを具備し、前記第１ないし第３の部分は、前記第４の部分と第５の部分とが形成する上側および下側の輪郭に囲まれており、前記第１ないし第５部分のうち少なくとも１つの部分が灯火器として発光可能に構成されている点に第１の特徴がある。
【手続補正８】
【補正対象書類名】明細書
【補正対象項目名】００１６
【補正方法】変更
【補正の内容】
【００１６】
また、前記第２の灯火器は、両端がテーパー状に閉じられる点に第６の特徴がある。
【手続補正９】
【補正対象書類名】明細書
【補正対象項目名】００２１
【補正方法】変更
【補正の内容】
【００２１】
また、前記第４の部分と第５の部分との結合点が、前記車両の中心方向と外側方向に形成される点に第１１の特徴がある。
【手続補正１０】
【補正対象書類名】明細書
【補正対象項目名】００２２
【補正方法】変更
【補正の内容】
【００２２】
また、両結合点を結ぶ線分と、垂線との成す角度αが４５度＜α＜９０度を満たす点に第１２の特徴がある。
【手続補正１１】
【補正対象書類名】明細書
【補正対象項目名】００２３
【補正方法】変更
【補正の内容】
【００２３】
さらに、両結合点を結ぶ線分に対して、前記第１の部分および第２の部分の中心が、前記線分上を含む第４の部分寄りに配設される点に第１３の特徴がある。
【手続補正１２】
【補正対象書類名】明細書
【補正対象項目名】００２４
【補正方法】変更
【補正の内容】
【００２４】
請求項１ないし４の発明によれば、虹彩部によって瞳部と強膜部とのコントラストが明瞭になるので、観察者に対して灯火器を「眼」として強く認識させることができるようになる。これに伴って、昼間など光のある環境下だけでなく、夜間においても自動二輪車の前面に効果的に「顔」を想起させることができる。
【手続補正１３】
【補正対象書類名】明細書
【補正対象項目名】００３３
【補正方法】変更
【補正の内容】
【００３３】
図２は、本発明を適用した自動二輪車の一実施形態の正面図である。前記と同一の符号は、同一または同等部分を示している。自動二輪車１のアッパーカウル９の上部には、左右対称の灯火器としてのヘッドライト４０が備えられている。前記したように、本発明の目的は、観察者に対してヘッドライト４０を「眼」と認識させることで、自動二輪車１の前面に「顔」を効果的に想起させることにある。
【手続補正１４】
【補正対象書類名】明細書
【補正対象項目名】００４５
【補正方法】変更
【補正の内容】
【００４５】
上記したように、本発明によれば、昼間など光のある環境下だけでなく、夜間においても灯火器を「眼」として強く認識させることができるので、自動二輪車の前面に「顔」を効果的に想起されやすくすることができるようになる。
【手続補正１５】
【補正対象書類名】図面
【補正対象項目名】図２
【補正方法】変更
【補正の内容】
【図２】
2006298045.tif 000016
【手続補正１６】
【補正対象書類名】図面
【補正対象項目名】図３
【補正方法】変更
【補正の内容】
【図３】
2006298045.tif 000017
【手続補正１７】
【補正対象書類名】図面
【補正対象項目名】図４
【補正方法】変更
【補正の内容】
【図４】
2006298045.tif 000018
【手続補正１８】
【補正対象書類名】図面
【補正対象項目名】図５
【補正方法】変更
【補正の内容】
【図５】
2006298045.tif 000019
【手続補正１９】
【補正対象書類名】図面
【補正対象項目名】図６
【補正方法】変更
【補正の内容】
【図６】
2006298045.tif 000020
【手続補正２０】
【補正対象書類名】図面
【補正対象項目名】図７
【補正方法】変更
【補正の内容】
【図７】
2006298045.tif 000021
【手続補正２１】
【補正対象書類名】図面
【補正対象項目名】図８
【補正方法】変更
【補正の内容】
【図８】
2006298045.tif 000022
【手続補正２２】
【補正対象書類名】図面
【補正対象項目名】図９
【補正方法】変更
【補正の内容】
【図９】
2006298045.tif 000023
【手続補正２３】
【補正対象書類名】図面
【補正対象項目名】図１０
【補正方法】変更
【補正の内容】
【図１０】
2006298045.tif 000024